(57)【要約】【課題】本発明は、制御装置及び制御方法を提供することを目的とする。【解決手段】本発明の制御装置は、電子設備の動作状態を自動的に切り替えるために用いられ、制御装置が電子設備に接続されたと検出した場合に獲得信号を生成する検出モジュールと、獲得信号に基づいて電子設備の周囲環境のイメージを獲得する獲得モジュールと、獲得したイメージに目標物体が含まれないと判断した場合、第一制御信号を生成して電子設備に送信することにより、電子設備が第一制御信号に基づいて第一状態に切り替えられるように制御する判断モジュールと、電子設備が第一状態にある持続時間を累計するタイミングモジュールと、持続時間と所定時間を比較し、持続時間が所定時間より大きいか等しいと、第二制御信号を生成して電子設備に送信することにより、電子設備が第二制御信号に基づいて第二状態に切り替えられるようにする制御する比較モジュールと、を備える。【選択図】図２
2014042236.tif 000002
【特許請求の範囲】
【請求項１】
電子設備の動作状態を自動的に切り替えるために用いられる制御装置であって、
前記制御装置が前記電子設備に接続されたか否かを検出し、前記制御装置が前記電子設備に接続されると獲得信号を生成する検出モジュールと、
前記獲得信号に基づいて前記電子設備の周囲環境のイメージを獲得する獲得モジュールと、
前記獲得したイメージに目標物体が含まれるか否かを判断し、前記獲得したイメージに目標物体が含まれないとき、第一制御信号を生成して前記電子設備に送信することにより、前記電子設備が前記第一制御信号に基づいて第一状態に切り替えられるように制御する判断モジュールと、
前記電子設備が前記第一状態にある持続時間を累計するタイミングモジュールと、
前記持続時間と所定時間を比較し、前記持続時間が前記所定時間より大きいか等しいとき、第二制御信号を生成して前記電子設備に送信することにより、前記電子設備が前記第二制御信号に基づいて第二状態に切り替えられるようにする制御する比較モジュールと、
を備えることを特徴とする制御装置。
【請求項２】
前記目標物体は人であり、前記判断モジュールは、顔識別技術又は人目識別技術によって獲得したイメージに前記目標物体が含まれるか否かを判断することを特徴とする請求項１に記載の制御装置。
【請求項３】
前記電子設備はディスプレーを備え、前記第一状態はスタンバイ状態であり、前記第二状態はシャットダウン状態であり、前記電子設備は前記第一状態にある時にディスプレーのバックライトの電源を切り、前記電子設備は前記第二状態にある時にシステムの電源を切ることを特徴とする請求項１に記載の制御装置。
【請求項４】
制御装置が獲得したイメージに基づいて電子設備の動作状態を自動的に切り替える制御方法であって、
前記制御装置が前記電子設備に接続されたか否かを検出するステップと、
前記制御装置が前記電子設備に接続されると、前記電子設備の周囲環境のイメージを獲得するステップと、
前記獲得したイメージに目標物体が含まれるか否かを判断するステップと、
前記獲得したイメージに目標物体が含まれないとき、第一制御信号を生成して前記電子設備に送信して前記電子設備を第一状態に切り替えるステップと、
前記電子設備が前記第一状態にある持続時間を累計するステップと、
前記持続時間と所定時間を比較するステップと、
前記持続時間が前記所定時間より大きいか等しいと、第二制御信号を前記電子設備に送信して前記電子設備を第二状態に切り替えるステップと、
を備えることを特徴とする制御方法。
【請求項５】
前記目標物体は人であり、顔識別技術又は人目識別技術によって獲得したイメージに前記目標物体が含まれるか否かを判断することを特徴とする請求項４に記載の制御方法。
【請求項６】
前記電子設備はディスプレーを備え、前記第一状態はスタンバイ状態であり、前記第二状態はシャットダウン状態であり、前記電子設備は前記第一状態にある時にディスプレーのバックライトの電源を切り、前記電子設備は前記第二状態にある時にシステムの電源を切ることを特徴とする請求項４に記載の制御方法。
【発明の詳細な説明】
【技術分野】
【０００１】
本発明は、制御装置及びその制御方法に関するものであり、特に電子設備の作動状態を自動的に切り替えることができる制御装置及びその制御方法に関するものである。
【背景技術】
【０００２】
テレビジョンは、イメージ又はビデオを表示することができ、且つ手動操作によってスタンバイ状態又はシャットダウン状態に変わることができる。使用者がテレビジョンを閲覧せずシャットダウンすることを忘れた場合、テレビジョンはずっと放送状態になり、電力を浪費する。
【発明の概要】
【発明が解決しようとする課題】
【０００３】
本発明の目的は、上記問題を解決するものであり、電子設備の動作状態を自動的に切り替えることができる制御装置及びその制御方法を提供することである。
【課題を解決するための手段】
【０００４】
本発明に係る制御装置は、電子設備の動作状態を自動的に切り替えるために用いられ、制御装置が電子設備に接続されたか否かを検出し、制御装置が電子設備に接続されると獲得信号を生成する検出モジュールと、獲得信号に基づいて電子設備の周囲環境のイメージを獲得する獲得モジュールと、獲得したイメージに目標物体が含まれるか否かを判断し、獲得したイメージに目標物体が含まれないとき、第一制御信号を生成して電子設備に送信することにより、電子設備が第一制御信号に基づいて第一状態に切り替えられるように制御する判断モジュールと、電子設備が第一状態にある持続時間を累計するタイミングモジュールと、持続時間と所定時間を比較し、持続時間が所定時間より大きいか等しいとき、第二制御信号を生成して電子設備に送信することにより、電子設備が第二制御信号に基づいて第二状態に切り替えられるようにする制御する比較モジュールと、を備える。
【０００５】
本発明に係る制御方法は、制御装置が獲得したイメージに基づいて電子設備の動作状態を自動的に切り替える制御方法であって、制御装置が電子設備に接続されたか否かを検出するステップと、制御装置が電子設備に接続されると、電子設備の周囲環境のイメージを獲得するステップと、獲得したイメージに目標物体が含まれるか否かを判断するステップと、獲得したイメージに目標物体が含まれないとき、第一制御信号を生成して電子設備に送信して電子設備を第一状態に切り替えるステップと、電子設備が第一状態にある持続時間を累計するステップと、持続時間と所定時間を比較するステップと、持続時間が所定時間より大きいか等しいとき、第二制御信号を電子設備に送信して電子設備を第二状態に切り替えるステップと、を備える。
【発明の効果】
【０００６】
本発明において、制御装置が獲得したイメージに基づいて段階を分けて電子設備の動作状態を制御するので、電子設備の動作状態を自動的に制御することができ、電力を浪費することを免れることができる。
【図面の簡単な説明】
【０００７】
【図１】本発明の実施形態に係る制御装置を示す図である。
【図２】本発明の実施形態に係る制御装置の機能ブロック図である。
【図３】本発明の実施形態に係る制御方法のフローチャートである。
【発明を実施するための形態】
【０００８】
以下、図面を参照して、本発明の実施形態について説明する。
【０００９】
図１及び図２を参照すると、制御装置１０は、獲得したイメージに基づいて電子設備２０の作動状態を切り替える。本実施形態において、制御装置１０は、携帯電話又は他の撮像機能を有する設備であり、電子設備２０は、テレビジョン又はＤＶＤなどの設備である。
【００１０】
制御装置１０は、検出モジュール１１、獲得モジュール１３、判断モジュール１５、タイミングモジュール１７及び比較モジュール１９を備える。
【００１１】
検出モジュール１１は、制御装置１０が電子設備２０に接続されたか否かを検出して、制御装置１０が電子設備２０に接続されると獲得信号を生成して獲得モジュール１３に送信する。本実施形態において、制御装置１０は電子設備２０に電気的に接続される。他の実施形態において、制御装置１０は、無線方式で電子設備２０に接続されることができる。
【００１２】
獲得モジュール１３は、獲得信号に基づいて電子設備２０の周囲環境のイメージを獲得して判断信号を生成して判断モジュール１５に送信する。本実施形態では、獲得モジュール１３はカメラである。
【００１３】
判断モジュール１５は、判断信号に基づいて獲得したイメージに目標物体を含むか否かを判断して、獲得したイメージに目標物体を含まないと、第一制御信号を生成して電子設備２０に送信し且つタイミング信号を生成してタイミングモジュール１７に送信する。本実施形態において、目標物体は人であり、判断モジュール１５は、顔識別技術又は人目識別技術を利用して目標物体を識別して判断し、且つ有線又は無線方式によって第一制御信号を電子設備２０に送信する。
【００１４】
タイミングモジュール１７は、タイミング信号に基づいて電子設備２０が第一状態にある持続時間を累計する。
【００１５】
比較モジュール１９は、持続時間と所定時間を比較して、持続時間が所定時間より大きいか等しいと、第二制御信号を生成して電子設備２０に送信する。
【００１６】
電子設備２０は、イメージ又はビデオを表示するディスプレー２１を有する。電子設備２０は、第一制御信号に基づいて第一状態に切り替えられ、且つ第二制御信号に基づいて第二状態に切り替えられる。第一状態はスタンバイ状態であり、この状態のとき、電子設備２０はディスプレー２１のバックライトの電源を切る。第二状態はシャットダウン状態であり、この状態のとき、電子設備２０はシステムの電源を切る。本実施形態において、電子設備２０の頂部には接続スロットが形成されており、制御装置１０を接続スロットに差し込んで電子設備２０に電気的に接続する。他の実施形態において、電子設備２０は接続スロットを省略することができ、制御装置１０を電子設備２０の上に放置する。
【００１７】
他の実施形態において、検出モジュール１１、判断モジュール１５、タイミングモジュール１７及び比較モジュール１９の中の１つ又は複数のモジュールは必要に応じて電子設備２０の内部に設置されてもよい。
【００１８】
本発明の制御方法は、制御装置１０が獲得したイメージを利用して電子設備２０の作動状態を切り替える。本実施形態において、制御装置１０は、携帯電話のようなカメラ付き設備であり、電子装置２０は、テレビジョン又はＤＶＤなどの電子設備である。図３を参照すると、本発明の制御方法は、以下のステップを備える。
【００１９】
ステップＳ３０１：制御装置１０が電子設備２０に接続されたか否かを検出する。制御装置１０が電子設備２０に接続されると、獲得信号を生成してステップＳ３０２に入り、制御装置１０が電子設備２０に接続されないと、ステップＳ３０１に戻る。本実施形態において、制御装置１０の検出モジュール１１によって制御装置１０が電子設備２０に接続されたか否かを検出する。本実施形態において、制御装置１０は電子設備２０に電気的に接続される。他の実施形態においては、制御装置１０が、無線方式で電子設備２０に接続されてもよい。
【００２０】
ステップＳ３０２：電子設備２０の周囲環境のイメージを獲得する。本実施形態において、制御装置１０の獲得モジュール１３が獲得信号に基づいてイメージを獲得し、獲得モジュール１３はカメラである。
【００２１】
ステップＳ３０３：獲得したイメージに目標物体が含まれるか否かを判断する。獲得したイメージに目標物体が含まれないとき、第一制御信号を生成してステップＳ３０４に入り、獲得したイメージに目標物体を含むとき、ステップＳ３０２に戻る。本実施形態において、制御装置１０の判断モジュール１５によって獲得したイメージに目標物体が含まれるか否かを判断し、目標物体は人であり、顔識別技術又は人目識別技術を利用して目標物体を識別して判断する。
【００２２】
ステップＳ３０４：電子設備２０を第一状態に切り替える。本実施形態において、電子設備２０は、第一制御信号に基づいて第一状態に切り替えられる。第一状態はスタンバイ状態であり、この状態のとき、電子設備２０はディスプレー２１のバックライトの電源を切る。
【００２３】
ステップＳ３０５：電子設備２０が第一状態にある持続時間を累計する。本実施形態において、制御装置２０のタイミングモジュール１７によって電子設備２０が第一状態にある持続時間を累計する。
【００２４】
ステップＳ３０６：持続時間が所定時間より小さいか否かを比較する。持続時間が所定時間より大きいか等しいと、第二制御信号を生成してステップＳ３０７に入り、持続時間が所定時間より小さいとステップＳ３０５に戻る。本実施形態において、制御装置１０の比較モジュール１９によって持続時間と所定時間を比較する。
【００２５】
ステップＳ３０７：電子設備２０を第二状態に切り替える。本実施形態において、電子設備２０は、第二制御信号に基づいて第二状態に切り替えられる。第二状態はシャットダウン状態であり、この状態のとき、電子設備２０はシステム電源を切る。
【００２６】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００２７】
１０  制御装置
１１  検出モジュール
１３  獲得モジュール
１５  判断モジュール
１７  タイミングモジュール
１９  比較モジュール
２０  電子設備
【図１】
2014042236.tif 000003
【図２】
2014042236.tif 000004
【図３】
2014042236.tif 000005